(57)【要約】【課題】商用電力系統と連系運転するためにコンセントに差込み可能で、コンセントに非挿入状態ではプラグに触れても感電する恐れのないプラグ付電源装置を提供する。【解決手段】  プラグ付電源装置のプラグ１０として、コンセントに挿入される接続端子１１と、電源装置の出力が印加される中継端子１２と、接続端子１１と中継端子１２との接続、切断を行う接続手段１５，１６ａ，１６と、上記プラグ１０が非挿入状態から挿入状態に移行すると元位置から所定位置に移動し、挿入状態から非挿入状態に移行すると所定位置から元位置に戻る挿入動作検知手段１３と、を備えていると共に、接続手段１５，１６ａ，１６は、挿入動作検知手段１３の移動に連動して、該挿入動作検知手段１３が所定位置に移動すると接続を行い、該挿入動作検知手段１３が元位置に戻ると切断を行うような上記プラグ１０を用いて、プラグ付電源装置を構成する。【選択図】図３
2007059334.tif 000002
【特許請求の範囲】
【請求項１】
電源装置とプラグとを備えており、該プラグは、交流電力発生源を備える電力系統に接続された配電用のコンセントに挿入されると共に、該プラグを介して、前記電源装置が前記電力系統に接続されて連系運転されるプラグ付電源装置であって、
前記プラグは、
該プラグに固定されていると共に先端部が該プラグの前端面から前方に向かって突出しており、該突出した先端部が前記コンセントに挿入される接続端子と、
該プラグに固定されており前記電源装置の出力が印加される中継端子と、
前記接続端子と前記中継端子との接続、切断を行う接続手段と、
前記接続端子の先端部がコンセントに挿入されていない非挿入状態から挿入されている挿入状態に移行すると、元位置から所定位置に移動し、前記挿入状態から前記非挿入状態に移行すると、前記所定位置から前記元位置に戻る挿入動作検知手段と、を備えており、
前記接続手段は、前記挿入動作検知手段の移動に連動して、該挿入動作検知手段が前記所定位置に移動すると前記接続を行い、該挿入動作検知手段が前記元位置に戻ると前記切断を行うことを特徴とするプラグ付電源装置。
【請求項２】
前記挿入動作検知手段は前方に向かって付勢された挿入検出ロッドで構成されており、
該挿入検出ロッドが前記元位置に存在している状態は、該挿入検出ロッドの先端部が前記プラグの前端面から前方に向かって突出していると共に、該挿入検出ロッドの後端部が前記プラグの内部に没入した状態であり、前記所定位置に存在している状態は、該挿入検出ロッドの全体が前記プラグの内部に没入した状態であり、
前記プラグが前記コンセントに挿入されると、該挿入検出ロッドの先端部の先端が前記コンセントの前面と接して後方に向かって押圧され、該挿入検出ロッドは、前記付勢に逆らって後方に向かって押込まれて前記プラグの内部に没入して、前記元位置から前記所定位置に移動し、
前記プラグが前記コンセントから引き出されると、該挿入検出ロッドは、前記付勢により前方に向かって移動し前端面から前方に向かって突出して、前記所定位置から前記元位置に戻る請求項１記載のプラグ付電源装置。
【請求項３】
前記電源装置は、直流電源と、該直流電源の直流出力を交流出力に変換する電力変換部とで構成されている請求項１又は２記載のプラグ付電源装置。
【請求項４】
前記直流電源は太陽電池である請求項３記載のプラグ付電源装置。
【発明の詳細な説明】
【技術分野】
【０００１】
本発明は、商用電力系統等の交流電力発生源を備える電力系統と連系運転するために、該電力系統に接続された配電用のコンセントに挿入されるプラグを備えた電源装置に関する。
【背景技術】
【０００２】
太陽電池や風力発電機等は、自然エネルギーを利用して発電を行うことから、有害な物質を排出しないクリーンなエネルギーとして知られている。このようなクリーンなエネルギーとしては、特に太陽電池が注目されており、太陽電池を住宅の屋根や敷地内に設置することにより、太陽電池を備えた電源装置として使用される例が増えている。この太陽電池を備えた電源装置の場合、得られた直流電力を交流電力に変換した上で、例えば、住宅で使用されている商用電力系統に接続して、この商用電力系統と連系運転させることができる。この商用電力系統との連系運転により、太陽電池で発電した電力を、住宅の電気的負荷に供給したり、住宅外の商用電力系統に交流電力を供給したりすることができ、電力料金の節約を図ることができるというメリットがある。
【０００３】
上記の電源装置を商用電力系統と連系運転する方法としては、住宅の交流分電盤と電源装置とを配線ケーブルで接続する方法と、電源装置の配線ケーブルにプラグを備えて、このプラグを住宅のコンセントに差し込む方法とがある。前者の方法は、住宅の交流分電盤に電源装置の配線ケーブルを接続する接続工事を行うのに、工事をする人に電気工事の資格が必要であり、家庭で容易に行える方法とはいえない。これに対して、後者の方法は、単に、電源装置に備えられているケーブルのプラグを、住宅のコンセントに差し込むだけであるので、家庭で容易に行える方法である。そのため、上記の太陽電池を備えた電源装置では、商用電力系統と連系運転するために、住宅のコンセントに差し込み可能なプラグを備えたケーブルが多く用いられており、このようなプラグに関する技術的提案も種々なされている（例えば、特許文献１参照）。
【０００４】
図５は、住宅のコンセントに差し込み可能なプラグを備えた従来例の太陽電池を備えた電源装置の外観図である。図５において、従来例の太陽電池を備えた電源装置１０１は、太陽電池モジュール１０２、電力変換装置１０３、及び、プラグ１０４を備えた配線ケーブル１０５で構成されている。電力変換装置１０３は、太陽電池モジュール１０２が発電する直流電力をインバータにより交流電力に変換するものである。尚、図５において、１０６は住宅の壁等に備えられたコンセント、１０７は交流電力発生源として、例えば、商用電力系統を表している。
【０００５】
この太陽電池を備えた従来例の電源装置１０１では、太陽電池モジュール１０２に太陽光が当たっている間にプラグ１０４をコンセント１０６に差し込むと、まず、電力変換装置１０３に備えられた制御部が、コンセント１０６を介して商用電力系統１０７の交流電圧が検出されるか否かをチェックする。商用電力系統１０７が停電していない限り、交流電圧が検出されるので、この場合は、この交流電圧の位相に同期して電力変換装置１０３が太陽電池モジュール１０２で発電された直流を交流に変換する。そして、電力変換装置１０３に備えられた制御部が、電力変換装置１０３とプラグ１０４との間に挿入されているリレー等をＯＮすることにより、電力変換装置１０３で変換された交流電力を、コンセント１０６を介して交流電力発生源である商用電力系統１０７へ供給して、商用電力系統１０７との連系運転を行う。
【特許文献１】特開２００２−１１０２８３号公報の図３
【発明の開示】
【発明が解決しようとする課題】
【０００６】
しかしながら、上記の従来例の太陽電池を備えた電源装置１０１において、プラグ１０４をコンセント１０６に差し込んでいないにもかかわらず、太陽電池モジュール１０２に太陽光が当っている間に、もし誤って電力変換装置１０３の制御部がプラグ１０４の導電部に発電した交流電力を印加すると、プラグ１０４をコンセント１０６に差し込む際に、誤ってプラグ１０４の導電部に触れて感電する可能性があった。又、特許文献１の図３に記載されているプラグは、コンセントに差し込まれる導電部にカバーが付いているものの、このカバーは手で触るとプラグの本体内部に押し込まれて導電部が露出する構造であり、上記の従来例の電源装置におけるプラグと同様、感電する可能性があった。
【０００７】
そこでこの発明は、上記のような状況を解決するためになされたものであって、交流電力発生源と連系運転するために、住宅のコンセントに差し込み可能なプラグを用いており、このプラグがコンセントに差し込まれていない状態では、プラグの導電部に電圧は印加されず、従って、プラグに触れても感電する恐れのないプラグ付電源装置を、提供しようとするものである。
【課題を解決するための手段】
【０００８】
本発明のプラグ付電源装置は、電源装置とプラグとを備えており、該プラグが、商用電力系統等の交流電力発生源を備える電力系統に接続された配電用のコンセントに挿入されると共に、該プラグを介して、電源装置が電力系統に接続されて連系運転されるプラグ付電源装置である。
【０００９】
上記のプラグ付電源装置のプラグは、接続端子、中継端子、接続手段、及び、挿入動作検知手段を備えている。接続端子は、上記プラグに固定されていると共に先端部が該プラグの前端面から前方に向かって突出しており、該突出した先端部がコンセントに挿入される。中継端子は、該プラグに固定されており電源装置の出力が印加される。接続手段は、接続端子と中継端子との接続、切断を行う。そして、挿入動作検知手段は、接続端子の先端部がコンセントに挿入されていない非挿入状態から挿入されている挿入状態に移行すると、元位置から所定位置に移動し、挿入状態から非挿入状態に移行すると、所定位置から元位置に戻る。
【００１０】
上記のプラグ付電源装置は、接続手段が、挿入動作検知手段の移動に連動して、該挿入動作検知手段が所定位置に移動すると接続を行い、該挿入動作検知手段が元位置に戻ると切断を行うことを特徴としている。
【００１１】
上記のプラグ付電源装置によれば、挿入動作検知手段が、接続端子の先端部がコンセントに挿入されていない非挿入状態から挿入されている挿入状態に移行すると、元位置から所定位置に移動し、挿入状態から非挿入状態に移行すると、所定位置から元位置に戻る。そしてこの挿入動作検知手段の移動に連動して、接続手段は、挿入動作検知手段が所定位置に移動すると接続を行い、該挿入動作検知手段が元位置に戻ると切断を行う。
【００１２】
そのため、プラグがコンセントに挿入された挿入状態では、挿入動作検知手段が所定位置に存在しており、接続端子と中継端子とは接続された状態であるが、プラグがコンセントに挿入されていない非挿入状態では、挿入動作検知手段が元位置に存在しており、接続端子と中継端子とは接続されていない状態である。従って、プラグがコンセントに差し込まれていない状態では、プラグの導電部である接続端子に電圧が印加されず、プラグに触れても感電する恐れはない。
【００１３】
上記のプラグ付電源装置のプラグにおける上記挿入動作検知手段は、具体的には、次のように構成するのが望ましい。即ち、挿入動作検知手段は、前方に向かって付勢された挿入検出ロッドを用いて構成する。そして、挿入検出ロッドが元位置に存在している状態として、挿入検出ロッドの先端部がプラグの前端面から前方に向かって突出していると共に、挿入検出ロッドの後端部がプラグの内部に没入した状態とする。又、所定位置に存在している状態として、挿入検出ロッドの全体がプラグの内部に没入した状態とする。
【００１４】
そして、プラグがコンセントに挿入されると、挿入検出ロッドの先端部の先端がコンセントの前面と接して後方に向かって押圧され、挿入検出ロッドは、上記の付勢に逆らって後方に向かって押込まれてプラグの内部に没入して、元位置から所定位置に移動するようにする。又、プラグがコンセントから引き出されると、挿入検出ロッドは、付勢により前方に向かって移動し前端面から前方に向かって突出して、所定位置から元位置に戻るようにするのである。
【００１５】
上記のプラグ付電源装置のプラグでは、挿入検出ロッドの構造が非常にシンプルである。従って、上記のようにすることにより、上記のプラグ付電源装置におけるプラグの挿入動作検知手段と接続手段をシンプルに構成することができ、上記のプラグ付電源装置におけるプラグの構造をシンプルに構成することができる。
【００１６】
上記のプラグ付電源装置において、電源装置として、直流電源と、該直流電源の直流出力を交流出力に変換する電力変換部とで構成するようにすることができる。又、この構成のプラグ付電源装置において、直流電源を太陽電池とすることができる。このような直流電源と電力変換部とで構成されるプラグ付電源装置、或いは太陽電池と電力変換部とで構成されるプラグ付電源装置は、上述したプラグを用いているので、安全性を向上することができる。
【発明の効果】
【００１７】
本発明によれば、プラグ付電源装置のプラグがコンセントに挿入された挿入状態では、プラグの挿入動作検知手段が所定位置に存在しており、接続端子と中継端子とが接続された状態であるが、プラグがコンセントに挿入されていない非挿入状態では、挿入動作検知手段が元位置に存在しており、接続端子と中継端子とが接続されていない状態である。従って、プラグがコンセントに差し込まれていない状態では、プラグの導電部である接続端子に電圧が印加されず、プラグに触れても感電する恐れをなくすることができる。
【００１８】
又、プラグ付電源装置の挿入動作検知手段として挿入検出ロッドを用いており、挿入検出ロッドはシンプルな構造であるので、挿入動作検知手段と接続手段の構造をシンプルにすることができる。従って、上記のプラグ付電源装置におけるプラグの構造をシンプルに構成することができる。
【００１９】
又、プラグ付電源装置の電源装置を直流電源と電力変換部とで構成すると共に、直流電源を太陽電池とすることにより、太陽電池を備えたプラグ付電源装置の安全性を向上することができる。
【発明を実施するための最良の形態】
【００２０】
以下、本実施の形態におけるプラグ付電源装置について、図面を参照しながら詳しく説明する。
【００２１】
図１は、本実施の形態におけるプラグ付電源装置１の構成を示したブロック図である。図１において、このプラグ付電源装置１は、太陽電池モジュール２、電力変換部３、ケーブル４、及び、プラグ１０で構成されている。尚、図１において、５は住宅の壁等に備えられたコンセント、６は商用電力系統を表している。このプラグ付電源装置１は、交流電力発生源を備える商用電力系統６に接続された配電用のコンセント５にプラグ１０を挿入することにより、商用電力系統６に接続されて、その電力系統と連系運転される。又、このプラグ付電源装置１は、後述するように、プラグ１０に特徴がある。
【００２２】
図１において、太陽電池モジュール２は、太陽エネルギーを直流電力に変換して出力する装置である。太陽電池モジュール２の出力を受ける電力変換部３は、インバータ部３１、制御部３２、及び、リレー３３で構成されている。インバータ部３１は、太陽電池モジュール２の出力する直流電力を、交流電力に変換する。リレー３３は、ＯＮするとインバータ部３１により変換された交流電力を、ケーブル４を介してプラグ１０に出力し、さらに、プラグ１０を介して商用電力系統６に出力する。又、リレー３３をＯＦＦすると交流電力は出力されない。
【００２３】
制御部３２は、太陽電池モジュール２が発電した電力を出力すると、その一部の電力を用いて動作する。この制御部３２は、リレー３３の接点３３ａとプラグ１０間に印加される電圧、即ち、プラグ１０がコンセント５に差し込まれたときの、コンセント５を介して印加される商用電力系統６の電圧を検出する。この商用電力系統６の電圧が検出されると、制御部３２は、インバータ部３１が電力変換を行うように制御すると共に、リレー３３をＯＮしてリレー３３のリレー接点３３ａを閉じて、変換された交流電力を、ケーブル４を介してプラグ１０に出力する。又、太陽電池モジュール２が出力しなくなると、制御部３２はインバータ部３１の電力変換を停止させると共に、リレー３３をＯＦＦしてリレー接点３３ａを開放して、電力変換部とプラグ１０との間を切断する。商用電力系統６に接続されたコンセント５にプラグ１０が接続されている状態下では、この切断により、上記のプラグ付電源装置１は、商用電力系統６との連系運転を停止することができる。
【００２４】
又、制御部３２は、プラグ１０に印加される電圧の状態により商用電力系統６の停電を常に監視しており、この停電を検出すると、上記と同様に、リレー３３をＯＦＦしてリレー３３のリレー接点３３ａを開放して、電力変換部３とプラグ１０との間を切断する。この切断により、プラグ付電源装置１は商用電力系統６との連系運転を停止する。
【００２５】
図２は、プラグ付電源装置１に使用されているプラグ１０の外観を示しており、図２（ａ）は正面図、図２（ｂ）は平面図、図２（ｃ）は左側面図（前端面図）である。又、図３は、プラグ１０がコンセント５に挿入されていない状態を示しており、図３（ａ）は図２（ｃ）におけるＡ−Ａ断面図、図３（ｂ）は図２（ｃ）におけるＢ−Ｂ断面図である。又、図４は、プラグ１０がコンセント５に挿入されている状態を示しており、図４（ａ）は図２（ｃ）におけるＡ−Ａ断面図、図４（ｂ）は図２（ｃ）におけるＢ−Ｂ断面図である。
【００２６】
図２、図３において、プラグ付電源装置１のプラグ１０は、主として、プラグ本体１９内に設けられた、２個の接続端子１１，１１、２個の中継端子１２，１２、２個の挿入検出ロッド１３，１３、２個の付勢バネ１４，１４、ロッド連結杆１５、及び、２個のスライド接続片１６，１６で構成されている。この内、接続端子１１，１１、中継端子１２，１２、及び、スライド接続片１６，１６は、銅合金等の導電性の材料で形成されている。
【００２７】
２個の接続端子１１，１１は、プラグ本体１９に固定されており、その接続端子先端部１１ａ，１１ａが、プラグ前端面１７に垂直でプラグ前端面１７から前方に突出していると共に、この接続端子先端部１１ａ，１１ａがコンセント５に挿入される。又、接続端子後端部１１ｂ，１１ｂは、プラグ本体１９内に存在している。この２個の接続端子後端部１１ｂ，１１ｂの後方で、接続端子後端部１１ｂ，１１ｂと同一線上に、２個の中継端子１２，１２が配設されている。この中継端子１２，１２は、接続端子１１，１１と離間してプラグ本体１９に固定されていると共に、その後端部にケーブル４がケーブル取付ネジ１２ａ，１２ａで接続されている。上記の接続端子１１，１１は、プラグ１０がコンセント５に挿入されない状態では、中継端子１２，１２と接続されないが、後述するように、プラグ１０がコンセント５に挿入された状態では、接続端子１１，１１は、スライド接続片１６，１６を介して、中継端子１２，１２と接続される。
【００２８】
接続端子１１，１１の外側方向下方には、接続端子１１，１１と平行に、角材状の２個の挿入検出ロッド１３，１３が、前後方向に移動可能に配設されており、挿入検出ロッド１３，１３の大部分は、プラグ本体１９内に内蔵されている。挿入検出ロッド後端部１３ｂは、プラグ本体１９内に接続端子１１，１１と平行に設けられた２個の溝１８，１８内に、この溝１８，１８に対して前後にスライド可能に挿入されている。この溝１８，１８の後端面と挿入検出ロッド後端部１３ｂ，１３ｂの後端面との間には、付勢バネ１４，１４が挿入されており、この付勢バネ１４，１４により挿入検出ロッド１３，１３は、前方へ付勢されている。このため、挿入検出ロッド先端部１３ａ，１３ａは、接続端子１１，１１と同様に、プラグ前端面１７から前方に突出しているが、この突出している部分の長さは、接続端子１１，１１よりも短い。
【００２９】
前述した「挿入検出ロッドが元位置に存在している状態」とは、この挿入検出ロッド１３，１３が付勢バネ１４，１４により前方へ突出している状態をいう。即ち、挿入検出ロッド１３，１３の先端部１３ａ，１３ａがプラグ１０の前端面１７から前方に向かって突出していると共に、挿入検出ロッド１３，１３の後端部１３ｂ，１３ｂがプラグ１０の内部に没入した状態である。又、挿入検出ロッド先端部１３ａ，１３ａの前端面は、プラグ前端面１７に平行な平面状であり、プラグ１０がコンセント５に挿入されると、この前端面は、コンセント５の表面に当接する。
【００３０】
上記の２個の挿入検出ロッド１３，１３は、プラグ本体１９内で、相互に、ロッド連結杆１５により連結されている。このロッド連結杆１５の中央部分には、２個のスライド接続片固定部材１６ａ，１６ａが上方に向かって垂設されており、このスライド接続片固定部材１６ａ，１６ａの上端部には、スライド接続片１６，１６が固着されている。前述した「接続手段」は、これらの、ロッド連結杆１５、２個のスライド接続片固定部材１６ａ，１６ａ、及び、２個のスライド接続片１６，１６で構成される部分に該当する。
【００３１】
上記のスライド接続片１６，１６は、プラグ１０がコンセント５に挿入されない状態では、スライド接続片１６，１６の前端部が、接続端子後端部１１ｂ，１１ｂに接触しているが、スライド接続片１６，１６の後端部は、どこにも接触せず、従って、中継端子１２，１２にも接触していない。そこで、電力変換部３内の制御部３２が、誤ってリレー３３をＯＮさせてプラグ１０に交流電圧を印加させた場合に、接続端子１１，１１に人が触れても、感電することはない。
【００３２】
プラグ１０がコンセント５に挿入されると、最初に、接続端子先端部１１ａ，１１ａの先端がコンセント５へ挿入される。この接続端子先端部１１ａ，１１ａの長さの半分程度がコンセント５に挿入された時点で、挿入検出ロッド先端部１３ａ，１３ａの前端面が、コンセント５の表面に当接して後方に向かって押圧される。そのため、挿入検出ロッド１３，１３は、後方に向かって押されて、挿入検出ロッド後端部１３ｂ，１３ｂが、付勢バネ１４，１４の付勢に逆らって溝１８，１８内に押込まれ、最終的に、図４（ａ），（ｂ）に示すように、挿入検出ロッド１３，１３全体が、プラグ本体１９内に没入する。
【００３３】
前述した「挿入検出ロッドが所定位置に存在している状態」とは、この挿入検出ロッド１３，１３が付勢バネ１４，１４の付勢に逆らって後方に向かって押されて、挿入検出ロッド後端部１３ｂ，１３ｂが、溝１８，１８内に押込まれた状態を言う。即ち、挿入検出ロッド１３，１３の全体が、プラグ１０の内部に没入した状態である。
【００３４】
挿入検出ロッド１３，１３が、後方に向かって押されると、図４（ａ），（ｂ）に示すように、この挿入検出ロッド１３，１３を連結しているロッド連結杆１５、このロッド連結杆１５に垂設されているスライド接続片固定部材１６ａ，１６ａ、及び、このスライド接続片固定部材１６ａ，１６ａに固着されているスライド接続片１６，１６が、一体となって、挿入検出ロッド１３，１３に連動して後方に移動する。即ち、スライド接続片１６，１６は、その前端部が、接続端子後端部１１ｂ，１１ｂと接触しながら、後方に移動し、接続端子後端部１１ｂ，１１ｂとの接触状態を保ちつつ、スライド接続片１６，１６の後端部が、中継端子１２，１２の前端部と接触した状態となる。
【００３５】
従って接続端子１１，１１は、スライド接続片１６，１６を介して中継端子１２，１２と接続されることになる。そのため、インバータ部３１から出力され、中継端子１２，１２に接続されたケーブル４を介して中継端子１２，１２に印加される交流電力が、接続端子１１，１１に流れて、プラグ付電源装置１は商用電力系統６との連系運転が開始される。
【００３６】
プラグ１０がコンセント５に挿入された状態で、コンセント５から引き抜かれると、挿入検出ロッド先端部１３ａ、１３ａの先端面が当接しているコンセント５の表面から、プラグ前端面１７が離れると共に、プラグ前端面１７が後退する。このプラグ前端面１７の後退に対して、挿入検出ロッド先端部１３ａ，１３ａの先端面は、付勢バネ１４，１４の付勢によりコンセント５の表面に当接し続けるので、相対的に、接続端子先端部１１ａ，１１ａは、徐々にプラグ前端面１７から突出し、接続端子先端部１１ａ，１１ａが、その長さの半分程度コンセント５から引き抜かれた時点で、「挿入検出ロッド１３，１３が元位置に存在している状態」になる。
【００３７】
すると、挿入検出ロッド１３，１３を連結しているロッド連結杆１５、このロッド連結杆１５に垂設されているスライド接続片固定部材１６ａ，１６ａ、及び、このスライド接続片固定部材１６ａ，１６ａに固着されているスライド接続片１６，１６は、一体となって、挿入検出ロッド１３，１３に連動して前方に移動し、スライド接続片１６，１６の後端部が、中継端子１２，１２の前端部から瞬時に離れる。その結果、スライド接続片１６，１６の前端部は接続端子後端部１１ｂ，１１ｂと接触しているが、スライド接続片１６，１６の後端部は中継端子１２，１２の前端部に接触していない状態となる。即ち、接続端子１１，１１は、中継端子１２，１２と切断されることになる。この切断された状態は、プラグ１０がコンセント５から完全に引き抜かれた状態でも変わらず維持される。従って、プラグ１０がコンセント５から引き抜かれて、電力変換部３内の制御部３２が、系統電圧を検出していないにもかかわらず、誤ってリレー３３をＯＮさせたままでプラグ１０に交流電圧を印加させている場合に、接続端子１１，１１に人が触れても、感電することはない。
【００３８】
上記のプラグ付電源装置１によれば、プラグ１０がコンセント５に挿入された挿入状態では、プラグ１０の挿入検出ロッド１３，１３が所定位置に存在しており、接続端子１１，１１と中継端子１２，１２とが接続された状態であるが、プラグ１０がコンセント５に挿入されていない非挿入状態では、挿入検出ロッド１３，１３が元位置に存在しており、接続端子１１，１１と中継端子１２，１２とが切断された状態である。従って、プラグ１０がコンセント５に差し込まれていない状態では、プラグ１０の導電部である接続端子１１，１１に電圧が印加されず、プラグ１０に触れても感電する恐れをなくすることができる。即ち、このようなプラグ１０を用いることにより、上記のプラグ付電源装置１の安全性を向上することができる。
【００３９】
又、上記のプラグ付電源装置１の挿入検出ロッド１３，１３はシンプルな構造であるので、上記のプラグ付電源装置１におけるプラグ１０の構造をシンプルに構成することができる。
【００４０】
上記の実施の形態では、交流電力発生源としては、その例として、商用電力系統を想定して説明したが、独立した交流電力発生源でも構わなく、例えば、太陽電池や風力発電機等の自然エネルギーを利用した直流電源、若しくは、燃料電池やタービン発電機の直流出力を交流出力に変換した交流電力発生源でも構わない。
【図面の簡単な説明】
【００４１】
【図１】本実施の形態におけるプラグ付電源装置の構成を示したブロック図である。
【図２】本実施の形態におけるプラグ付電源装置に使用されているプラグの外観を示しており、（ａ）は正面図、（ｂ）は平面図、（ｃ）は左側面図（前端面図）である。
【図３】本実施の形態におけるプラグ付電源装置に使用されているプラグがコンセントに挿入されていない状態を示しており、（ａ）は図２（ｃ）におけるＡ−Ａ断面図、（ｂ）は図２（ｃ）におけるＢ−Ｂ断面図である。
【図４】本実施の形態におけるプラグ付電源装置に使用されているプラグがコンセントに挿入されている状態を示しており、（ａ）は図２（ｃ）におけるＡ−Ａ断面図、（ｂ）は図２（ｃ）におけるＢ−Ｂ断面図である。
【図５】従来例の太陽電池を備えた電源装置の外観図である。
【符号の説明】
【００４２】
１  プラグ付電源装置
１０  プラグ
１１  接続端子
１１ａ  接続端子先端部
１１ｂ  接続端子後端部
１２  中継端子
１２ａ  ケーブル取付ネジ
１３  挿入検出ロッド
１３ａ  挿入検出ロッド先端部
１３ｂ  挿入検出ロッド後端部
１４  付勢バネ
１５  ロッド連結杆
１６  スライド接続片
１６ａ  スライド接続片固定部材
１７  プラグ前端面
１８  溝
１９  プラグ本体
２  太陽電池モジュール
３  電力変換部
３１  インバータ部
３２  制御部
３３  リレー
３３ａ  リレー接点
４  ケーブル
５  コンセント
５ａ  コンセント表面
６  商用電力系統
１０１  電源装置
１０２  太陽電池モジュール
１０３  電力変換装置
１０４  プラグ
１０５  配線ケーブル
１０６  コンセント
１０７  商用電力系統
【図１】
2007059334.tif 000003
【図２】
2007059334.tif 000004
【図３】
2007059334.tif 000005
【図４】
2007059334.tif 000006
【図５】
2007059334.tif 000007